(57)【特許請求の範囲】
【請求項１】
複数の構造物を設置するための桟を備えた構造物設置用架台であって、
前記桟は、同一方向に延びる桟主板及び一対の桟側板を有し、該一対の桟側板の前記方向に延びる各辺が前記桟主板により連結された形状の桟部材を複数接続したものであり、
前記接続された各桟部材の少なくとも一方の桟主板端部もしくは桟側板端部の一部が切られた形状とされ、該各桟部材の一方の各桟側板端部が他方の各桟側板端部の外側又は内側に重ねられており、
該重ねられた部位において前記一方の各桟側板端部と前記他方の各桟側板端部とを貫通して接続するボルトと、前記ボルトの軸に沿うように延びて前記一方の各桟側板端部または前記他方の桟側板端部の内側で挟み込まれるように当接する挟み込み部材とを備えたことを特徴とする構造物設置用架台。
【請求項２】
請求項１に記載の構造物設置用架台であって、
前記接続された各桟部材の少なくとも一方の桟主板端部と各桟側板端部との一部が前記方向に沿って切除されるかもしくは前記少なくとも一方の桟主板端部と各桟側板端部との間に前記方向に沿う切り込みが形成された形状とされ、該各桟部材の各桟側板の弾性変形により該各桟部材の一方の各桟側板端部が他方の各桟側板端部の外側又は内側に重ねられており、
前記各桟部材の桟主板の幅が同一であることを特徴とする構造物設置用架台。
【請求項３】
請求項１又は２に記載の構造物設置用架台であって、
前記挟み込み部材がパイプであり、前記ボルトが一方の各桟側板端部の孔、他方の各桟側板端部の孔、及び前記パイプに通されて、前記ボルトの端部にナットがネジ込んで締め込まれることにより前記一方の各桟側板端部と前記他方の各桟側板端部とが接続されたことを特徴とする構造物設置用架台。
【請求項４】
請求項１又は２に記載の構造物設置用架台であって、
前記挟み込み部材が筒状雌ねじ部材であり、２本の前記ボルトが一方の各桟側板端部の孔及び他方の各桟側板端部の孔を通じて前記筒状雌ねじ部材両端の雌ネジにそれぞれねじ込んで締め込まれることにより前記一方の各桟側板端部と前記他方の各桟側板端部とが接続されたことを特徴とする構造物設置用架台。
【請求項５】
請求項１〜４のいずれか１つに記載の構造物設置用架台の施工方法であって、
前記各桟部材の各桟側板の弾性変形により該各桟部材の一方の各桟側板端部を前記他方の各桟側板端部の内側又は外側に重ねた後、前記一方の各桟側板端部と前記他方の各桟側板端部を接続することを特徴とする構造物設置用架台の施工方法。
【請求項６】
請求項１〜４のいずれか１つに記載の構造物設置用架台を備え、この構造物設置用架台の横桟上に構造物としての太陽電池モジュールを搭載したことを特徴とする太陽電池システム。
【発明の詳細な説明】
【技術分野】
【０００１】
本発明は、太陽電池モジュール等の構造物を設置するための構造物用設置架台、その施工方法、及び太陽電池システムに関する。
【背景技術】
【０００２】
この種の架台は、構造物の荷重を単に支持するというだけではなく、構造物に受けた風圧等にも耐えねばならないため、高い強度を要求される。特に、太陽電池モジュールを支持する場合は、太陽電池モジュールが平板状であって傾斜して配置されることから、太陽電池モジュールに大きな風圧がかかり易く、架台の強度に十分な注意が払われている。
【０００３】
例えば、特許文献１では、複数の筒状体を組み合わせた支持レールを固定し、この支持レールにより太陽電池モジュールの端部を支持している。筒状体そのものの断面係数が大きいため、複数の筒状体の組み合わせにより支持レールの強度が高くなる。
【０００４】
また、特許文献２では、ハット型の断面形状を有する複数のフレームを並設し、これらのフレーム上に太陽電池モジュールを固定支持している。このハット型のフレームの断面係数も大きく、フレーム強度も高い。
【先行技術文献】
【特許文献】
【０００５】
【特許文献１】特開２００１−１６４７１３号公報
【特許文献２】特開平９−２３５８４４号公報
【発明の概要】
【発明が解決しようとする課題】
【０００６】
ここで、特許文献１及び２では、住宅等への太陽電池モジュールの設置が前提となっているので、太陽電池モジュールの設置面積が限られ、支持レールやフレームは、長くても数ｍ程度であると考えられる。
【０００７】
しかしながら、大規模な発電所等においては、多数の太陽電池モジュールを並べて設置することから、特許文献１の支持レールや特許文献２のフレームを適用するならば、これらを延長する必要がある。
【０００８】
特許文献１では、２本の支持レールの一方の端部に筒状部を設けると共に他方の端部に棒状部を設け、これらの端部の筒状部と棒状部を相互に嵌合させて、２本の支持レールを接続し、これにより支持レールの延長を可能にしている。ところが、これらの筒状部や棒状部を設けると、支持レールの形状が複雑化したり、部品点数が増大する。また、２本の支持レールの筒状部と棒状部を嵌合させるには、これらの支持レールを直線状に支持する必要があり、その作業が容易ではない。このため、このような支持レールを大規模な発電所等に適用したならば、コストが非常に高くなり、施工作業が困難になる。
【０００９】
また、特許文献２では、フレームの延長についての記載がなく、大規模な発電所等へのフレームの適用が考えられていない。
【００１０】
そこで、本発明は、上記従来の問題点に鑑みてなされたものであり、多数の太陽電池モジュールであっても、これらの太陽電池モジュールを強固に支持することができ、部品点数が少なく、その施工作業が容易な構造物設置用架台、構造物設置用架台の施工方法、及び太陽電池システムを提供することを目的とする。
【課題を解決するための手段】
【００１１】
上記課題を解決するために、本発明の構造物設置用架台は、複数の構造物を設置するための桟を備えた構造物設置用架台であって、前記桟は、同一方向に延びる桟主板及び一対の桟側板を有し、該一対の桟側板の前記方向に延びる各辺が前記桟主板により連結された形状の桟部材を複数接続したものであり、前記接続された各桟部材の少なくとも一方の桟主板端部もしくは桟側板端部の一部が切られた形状とされ、該各桟部材の一方の各桟側板端部が他方の各桟側板端部の外側又は内側に重ねられており、該重ねられた部位において前記一方の各桟側板端部と前記他方の各桟側板端部とを貫通して接続するボルトと、前記ボルトの軸に沿うように延びて前記一方の各桟側板端部または前記他方の桟側板端部の内側で挟み込まれるように当接する挟み込み部材とを備えている。
【００１２】
このような本発明の構造物設置用架台では、桟は、同一方向に延びる主板及び一対の側板を有し、該一対の側板の前記方向に延びる各辺が前記主板により連結された形状の桟部材を複数接続したものである。このような桟部材は、コの字型もしくはコの字型に近い断面形状となり、その断面係数が大きく、桟部材の強度が高くなる。このため、複数の桟部材を接続した桟の強度も高くなる。
【００１３】
また、接続された各桟部材の少なくとも一方の桟主板端部もしくは桟側板端部の一部が切られた形状とされている。例えば、接続された各桟部材の少なくとも一方の桟主板端部と各桟側板端部の一部を前記方向に沿って切除するか、もしくは桟主板端部と各桟側板端部間に前記方向に沿う切り込みを形成して、各桟部材の一方の各側板が他方の各側板の外側又は内側に重ねられるように、各側板が弾性変形する。これにより、各桟部材の一方の各桟側板端部を他方の各桟側板端部の外側または内側に重ねることが容易になる。そして、この状態で各桟部材を接続しているので、各桟部材の接続箇所では、両側の側板が２重構造となり、その強度が向上する。しかも、桟を延長するべく、桟部材の本数を増やしても、各桟部材の一方の各桟側板端部を他方の各桟側板端部の外側又は内側に重ねて接続するという工程を繰り返すだけであるから、施工作業が容易である。
【００１４】
このような接続構造では、接続された各桟部材の主板の幅が同一であっても、各桟部材を連結することができる。
【００１５】
また、ボルトにより一方の各桟側板端部と他方の各桟側板端部とを接続し、ボルトの軸に沿うように延びて一方の各桟側板端部または側板端部の内側で挟み込まれるように当接する挟み込み部材を設けているので、部品点数及び組立て工数の増大を抑えることができ、各桟部材を補強して、各桟部材の変形を防止することができる。
【００１６】
また、本発明の構造物設置用架台においては、前記挟み込み部材がパイプであり、前記ボルトが一方の各桟側板端部の孔、他方の各桟側板端部の孔、及び前記パイプに通されて、前記ボルトの端部にナットがネジ込んで締め込まれることにより前記一方の各桟側板端部と前記他方の各桟側板端部とが接続されている。あるいは、前記挟み込み部材が筒状雌ねじ部材であり、２本の前記ボルトが一方の各桟側板端部の孔及び他方の各桟側板端部の孔を通じて前記筒状雌ねじ部材両端の雌ネジにそれぞれねじ込んで締め込まれることにより前記一方の各桟側板端部と前記他方の各桟側板端部とが接続されている。
【００１８】
次に、本発明の構造物設置用架台の施工方法は、上記本発明の構造物設置用架台の施工方法であって、前記各桟部材の各桟側板の弾性変形により該各桟部材の一方の各桟側板端部を前記他方の各桟側板端部の内側又は外側に重ねた後、前記一方の各桟側板端部と前記他方の各桟側板端部を接続している。
【００１９】
このような本発明の施工方法では、桟を延長するべく、桟部材の本数を増やしても、そのような接続作業を繰り返すだけであって、施工作業が容易である。
【００２０】
また、本発明の太陽電池システムは、上記本発明の構造物設置用架台を備え、この構造物設置用架台の横桟上に構造物としての太陽電池モジュールを搭載している。
【００２１】
太陽電池モジュールが平板状であって傾斜して配置されることから、太陽電池モジュールの表裏に大きな風圧がかかり易い。このため、上記本発明の構造物設置用架台は、太陽電池システムの架台として好適である。
【発明の効果】
【００２２】
本発明では、桟は、同一方向に延びる主板及び一対の側板を有し、該一対の側板の前記方向に延びる各辺が前記主板により連結された形状の桟部材を複数接続したものである。このような桟部材は、コの字型もしくはコの字型に近い断面形状となり、その断面係数が大きく、桟部材の強度が高くなる。このため、複数の桟部材を接続した桟の強度も高くなる。
【００２３】
また、接続された各桟部材の少なくとも一方の桟主板端部もしくは桟側板端部の一部が切られた形状とされている。例えば、接続された各桟部材の少なくとも一方の桟主板端部と各桟側板端部の一部を前記方向に沿って切除するか、もしくは桟主板端部と各桟側板端部間に前記方向に沿う切り込みを形成して、各桟部材の一方の各側板が他方の各側板の外側又は内側に重ねられるように、各側板が弾性変形する。これにより、各桟部材の一方の各桟側板端部を他方の各桟側板端部の外側または内側に重ねることが容易になる。そして、この状態で各桟部材を接続しているので、各桟部材の接続箇所では、両側の側板が２重構造となり、その強度が向上する。しかも、桟を延長するべく、桟部材の本数を増やしても、各桟部材の一方の各桟側板端部を他方の各桟側板端部の外側又は内側に重ねて接続するという工程を繰り返すだけであるから、施工作業が容易である。
【００２４】
このような接続構造では、接続された各桟部材の主板の幅が同一であっても、各桟部材を連結することができる。
【００２５】
また、ボルトにより一方の各桟側板端部と他方の各桟側板端部とを接続し、ボルトの軸に沿うように延びて一方の各桟側板端部または側板端部の内側で挟み込まれるように当接する挟み込み部材を設けているので、部品点数及び組立て工数の増大を抑えることができ、各桟部材を補強して、各桟部材の変形を防止することができる。
【図面の簡単な説明】
【００２６】
【図１】本発明の構造物設置用架台の一実施形態を適用した太陽電池システムを示す斜視図である。
【図２】図１の太陽電池システムを示す背面図である。
【図３】図１の太陽電池システムを部分的に拡大して示す斜視図である。
【図４】本実施形態の構造物設置用架台におけるベース桟を示す斜視図である。
【図５】本実施形態の構造物設置用架台におけるアームを示す斜視図である。
【図６】（ａ）及び（ｂ）は、本実施形態の構造物設置用架台における縦桟を示す斜視図及び平面図である。
【図７】（ａ）、（ｂ）は、本実施形態の構造物設置用架台における横桟を構成する桟部材を示す斜視図及び平面図である。
【図８】本実施形態の構造物設置用架台における横桟を構成する他の桟部材を示す斜視図である。
【図９】本実施形態の構造物設置用架台におけるトラスを示す斜視図である。
【図１０】本実施形態の構造物設置用架台におけるベース桟、アーム、横桟、及びトラス等の断面形状を概略的に示す図である。
【図１１】（ａ）、（ｂ）は、ベース桟、アーム、及び縦桟からなる三角構造を示す斜視図及び正面図である。
【図１２】ベース桟の固定に用いられるコの字型補強金具を示す斜視図である。
【図１３】アームとベース桟の接続構造を示す断面図である。
【図１４】横桟を縦桟に接続固定するのに用いられる取付け金具を示す斜視図である。
【図１５】取付け金具を縦桟に取付けた状態を示す斜視図である。
【図１６】横桟を縦桟に接続した状態を示す断面図である。
【図１７】（ａ）、（ｂ）は、各桟部材の接続構造を示す斜視図及び断面図である。
【図１８】ベース桟と中央の横桟間に架け渡された各トラスを示す正面図である。
【図１９】図１８の各トラスを示す側面図である。
【図２０】（ａ）、（ｂ）は、本実施形態の構造物設置用架台におけるベース桟とトラスを接続するための接続金具を示す斜視図及び側面図である。
【図２１】（ａ）、（ｂ）、（ｃ）は、中央の横桟において太陽電池モジュールの裏面側に配置される第１接続金具を示す正面図、及び第１接続金具を表裏から見て示すそれぞれの斜視図である。
【図２２】（ａ）、（ｂ）は、図２１の第１接続金具と共に用いられる補強金具を示す斜視図及び平面図である。
【図２３】太陽電池モジュールの受光面側に配置される第１固定金具を示す斜視図である。
【図２４】太陽電池モジュールの受光面側に配置される第２固定金具を示す斜視図である。
【図２５】第１接続金具及び補強金具を中央の横桟に取付けた状態を示す断面図である。
【図２６】（ａ）は第１接続金具、補強金具、及び第１固定金具を用いて、中央の横桟に上下左右４枚の太陽電池モジュールを取付けた状態を示す平面図であり、（ｂ）は（ａ）のＢ−Ｂに沿う断面図であり、（ｃ）は（ａ）のＣ−Ｃに沿う断面図である。
【図２７】図２６の状態を太陽電池モジュールの受光面側から見て示す斜視図である。
【図２８】第１接続金具、補強金具、及び第２固定金具を用いて、横桟に太陽電池モジュールを取付けた状態を示す斜視図である。
【図２９Ａ】上側及び下側の横桟において太陽電池モジュールの裏面側に配置される第２接続金具を示す斜視図である。
【図２９Ｂ】（ａ）、（ｂ）は、図２９Ａの第２接続金具を示す平面図、及び側面図である。
【図３０】第２接続金具を上側及び下側の横桟に取付けた状態を示す断面図である。
【図３１】（ａ）は第２接続金具及び第１固定金具を用いて、上側及び下側の横桟に左右の２枚の太陽電池モジュールを取付けた状態を示す平面図であり、（ｂ）は（ａ）のＢ−Ｂに沿う断面図であり、（ｃ）は（ａ）のＣ−Ｃに沿う断面図である。
【図３２】第２接続金具、補強金具、及び第２固定金具を用いて、横桟に太陽電池モジュールを取付けた状態を示す斜視図である。
【図３３】太陽電池システムの施工手順においてベース桟をコンクリート基礎に固定した状態を示す斜視図である。
【図３４】太陽電池システムの施工手順においてベース桟の後端部にアームを突設して固定した状態を示す斜視図である。
【図３５】太陽電池システムの施工手順においてベースの先端部とアームの上端部に縦桟を斜めに架け渡して固定した状態を示す斜視図である。
【図３６】太陽電池システムの施工手順において縦桟の一対のＴ字形孔に取付け金具を取付ける工程を示す斜視図である。
【図３７】太陽電池システムの施工手順において複数のコンクリート基礎にベース桟、アーム、及び縦桟からなる三角構造をそれぞれ構築した状態を示す斜視図である。
【図３８】太陽電池システムの施工手順において中央の横桟に第１接続金具及び補強金具を取付けた状態を示す斜視図である。
【図３９】太陽電池システムの施工手順において上側及び下側の横桟に第２接続金具及び補強金具を取付けた状態を示す斜視図である。
【図４０】太陽電池システムの施工手順において最も右側の１番目と２番目の縦桟間に３本の桟部材を架け渡した状態を示す斜視図である。
【図４１】太陽電池システムの施工手順において１番目の桟部材と３番目の縦桟間に桟部材を架け渡した状態を示す斜視図である。
【図４２】図４１を部分的に拡大して示す斜視図である。
【図４３】太陽電池システムの施工手順においてトラス構造を構築した状態を示す斜視図である。
【図４４】太陽電池システムの施工手順において上下左右の各太陽電池モジュールを取付けた状態を示す斜視図である。
【図４５】（ａ）は桟部材端部の変形例を示す斜視図であり、（ｂ）、（ｃ）は（ａ）の桟部材端部と他の桟部材端部との接続状態を示す斜視図及び断面図である。
【図４６】各桟部材の接続構造の変形例を示す断面図である。
【図４７】太陽電池モジュールを中央の横桟に取り付けるための第１接続金具の変形例を示す斜視図である。
【図４８】図４７の第１接続金具を中央の横桟に取付けた状態を示す断面図である。
【図４９】図４７の第１接続金具及び第１又は第２固定金具を用いて、横桟に太陽電池モジュールを取付けた状態を示す斜視図である。
【図５０】第１接続金具の他の変形例を示す斜視図である。
【図５１】図５０の第１接続金具を中央の横桟に取付けた状態を示す斜視図である。
【発明を実施するための形態】
【００２７】
以下、本発明の実施形態を添付図面を参照しつつ詳細に説明する。
【００２８】
図１は、本発明の構造物設置用架台の一実施形態を適用した太陽電池システムを示す斜視図である。また、図２は図１の太陽電池システムを示す背面図であり、図３は図１の太陽電池システムを部分的に拡大して示す斜視図である。
【００２９】
この太陽電池システムでは、大規模な発電所の実現を前提としており、本実施形態の構造物設置用架台を用いて、多数の太陽電池モジュールを設置している。
【００３０】
図１、図２、及び図３に示すように本実施形態の構造物設置用架台では、複数のコンクリート基礎１１を等間隔に地面上に敷設し、各コンクリート基礎１１の上面１１-1にそれぞれのベース桟１２を固定して、これらのベース桟１２を等間隔に並設し、各ベース桟１２の後端部１２-1にそれぞれのアーム１３を接続して立設し、各ベース１２の先端部１２-2と各アーム１３の上端部１３-1にそれぞれの縦桟１４を斜めに架け渡して固定し、３本の横桟１５を各縦桟１４と直交するように配して、各横桟１５を各縦桟１４上に並設している。また、図１において最も右側のベース桟１２を１番目とすると、偶数番目のベース桟１２毎に、ベース桟１２と中央の横桟１５間に２本のトラス１６を架け渡して、中央の横桟１５を補強するためのトラス構造を構築している。
【００３１】
尚、図１、図２、及び図３においては、各コンクリート基礎１１が並ぶ方向をＸ方向（左右方向）とし、このＸ方向と直交する方向をＹ方向(前後方向)としている。
【００３２】
このような構成の構造物設置用架台において、上側の横桟１５と中央の横桟１５に複数の太陽電池モジュール１７を横一列に並べて搭載し、下側の横桟１５と中央の横桟１５にも複数の太陽電池モジュール１７を横一列に並べて搭載している。従って、３本の横桟１５上に、複数の太陽電池モジュール１７が２列に並べて搭載されている。また、左右に隣合う２本の縦桟１４間に、６枚の太陽電池モジュール１７が割り振られている。太陽電池モジュール１７は、複数の太陽電池セルを行列方向に配置してなる太陽電池パネル１８を枠部材１９により保持したものである。
【００３３】
次に、構造物設置用架台を構成するコンクリート基礎１１、ベース桟１２、アーム１３、縦桟１４、横桟１５、トラス１６等について説明する。
【００３４】
各コンクリート基礎１１は、地面上に型枠を形成し、この型枠にコンクリートを流し込んで固めたものである。各コンクリート基礎１１は、等間隔に配置され、それらの上面１１-1が水平かつ同一高さで面一となっている。
【００３５】
これらのコンクリート基礎１１の上面１１-1が水平な基礎面として用いられ、この基礎面上に各ベース桟１２が等間隔にかつ平行に固定され、更に各ベース桟１２、各アーム１３、各縦桟１４、各横桟１５、及び各トラス１６等が組立てられ接続されて、構造物設置用架台が構築されている。勿論、複数のコンクリート基礎１１の代わりに、コンクリートを架台の設置域全体に一様に流し込んでなるベタ基礎など他の構造の基礎を適用しても構わない。
【００３６】
図４は、ベース桟１２を示す斜視図である。図４に示すようにベース桟１２は、相互に対向する一対の側板１２ａ、各側板１２ａの対向一辺を連結する主板１２ｂ、及び各側板１２ａの縁で外側に折り曲げられたそれぞれの鍔１２ｃからなるハット型断面形状を有している。ベース桟１２の先端部１２-2では各鍔１２ｃが切除され、このベース桟１２の先端部１２-2が各側板１２ａ及び主板１２ｂからなるコの字型断面形状となっている。
【００３７】
このベース桟１２の主板１２ｂの両端近傍にはそれぞれの長形孔１２ｄが形成され、各側板１２ａの両端部にはそれぞれのボルト孔１２ｅが形成され、各鍔１２ｃの中央部にはそれぞれのボルト孔１２ｆが形成されている。
【００３８】
図５は、アーム１３を示す斜視図及び平面図である。図５に示すようにアーム１３は、相互に対向する一対の側板１３ａ、各側板１３ａの対向一辺を連結する主板１３ｂ、及び各側板１３ａの縁で外側に折り曲げられたそれぞれの鍔１３ｃからなるハット型断面形状を有している。アーム１３の下端部１３-2では主板１３ｂ及び各鍔１３ｃが切除されて、各側板１３ａだけが残されている。また、アーム１３の上端部１３-1でも主板１３ｂ及び各鍔１３ｃが切除され、各側板１３ａだけが残されている。更に、アーム１３の各側板１３ａの両端部にはそれぞれのボルト孔１３ｄが形成されている。
【００３９】
図６（ａ）及び（ｂ）は、縦桟１４を示す斜視図及び平面図である。図６に示すように縦桟１４は、相互に対向する一対の側板１４ａ、各側板１４ａの対向一辺を連結する主板１４ｂ、及び各側板１４ａの縁で外側に折り曲げられたそれぞれの鍔１４ｃからなるハット型断面形状を有している。
【００４０】
この縦桟１４の主板１４ｂの両端近傍及び中央には、一対のＴ字形孔１４ｄがそれぞれ形成されている。また、各側板１４ａの先端部にはそれぞれのボルト孔１４ｅが形成され、各側板１４ａの中央部から後端部寄りの部位にもそれぞれのボルト孔１４ｅが形成されている。
【００４１】
図７（ａ）、（ｂ）及び図８は、横桟１５を構成する桟部材を示している。図１に示すように横桟１５がＸ方向に極めて長く、横桟１５を単一の部材で構成するのは不可能であるため、横桟１５を複数の桟部材を接続して構成している。
【００４２】
図７（ａ）及び（ｂ）は、図１において横桟１５の最も右側の桟部材１５１を１番目とすると、この１番目の桟部材１５１を示す斜視図及び平面図である。図７に示すように１番目の桟部材１５１は、相互に対向する一対の側板１５ａ、各側板１５ａの対向一辺を連結する主板１５ｂ、及び各側板１５ａの縁で外側に折り曲げられたそれぞれの鍔１５ｃからなるハット型断面形状を有している。換言すれば、桟部材１５１は、各側板１５ａの長手方向に延びる各辺が主板１５ｂにより連結され、各鍔１５ｃがそれぞれの側板１５ａから外側に突出した形状を有する。
【００４３】
この桟部材１５１の主板１５ｂの４箇所には、一対のスリット１５ｄとボルト孔１５ｅがそれぞれ形成されている。更に、各側板１５ａの複数箇所にそれぞれのボルト孔１５ｆが形成され、各鍔１５ｃの両端部にはそれぞれの長形孔１５ｇが形成されている。
【００４４】
また、桟部材１５１の長さは、図１に示す各縦桟１４の間隔よりも僅かに長くされ、桟部材１５１を各縦桟１４間に架け渡すことが可能にされている。
【００４５】
図８は、図１において最も右側の桟部材１５１を１番目とすると、この１番目よりも左側の２番目以降の桟部材１５２を示す斜視図である。図８に示すように２番目以降の桟部材１５２も、図７の桟部材１５１と同様に、一対の側板１５ａ、主板１５ｂ、及び各鍔１５ｃからなるハット型断面形状を有している。また、主板１５ｂの３箇所に一対のスリット１５ｄとボルト孔１５ｅがそれぞれ形成され、各側板１５ａの複数箇所にそれぞれのボルト孔１５ｆが形成され、各鍔１５ｃの一端部にそれぞれの長形孔１５ｇが形成されている。
【００４６】
更に、桟部材１５２の片側端部１５２-1で主板１５ｂ及び各側板１５ａの一辺に沿う部分が切除され、各側板１５ａ及び各鍔１５ｃだけが残されている。
【００４７】
また、桟部材１５２の長さは、図１に示す各縦桟１４の間隔と略同一であって、桟部材１５１よりも僅かに短くされている。
【００４８】
図９は、トラス１６を示す斜視図である。図９に示すようにトラス１６は、相互に対向する一対の側板１６ａ、各側板１６ａの対向一辺を連結する主板１６ｂ、及び各側板１６ａの縁で外側に折り曲げられたそれぞれの鍔１６ｃからなるハット型断面形状を有している。
【００４９】
このトラス１６の一端部１６-1では主板１６ｂ及び各鍔１６ｃが切除されて、各側板１６ａだけが残されている。また、トラス１６の他端部１６-2でも主板１６ｂ及び各鍔１６ｃが切除され、各側板１６ａだけが残されている。更に、トラス１６の各側板１６ａの両端部にはそれぞれのボルト孔１６ｄが形成されている。
【００５０】
ここで、ベース桟１２、アーム１３、縦桟１４、横桟１５、及びトラス１６のいずれも、各側板、各側板の対向一辺を連結する主板、及び各側板の縁で外側に折り曲げられたそれぞれの鍔からなるハット型断面形状を有している。また、いずれのハット型断面形状も同一サイズである。換言すれば、主板の幅及び側板の幅が同一である。更に、いずれも、同一厚さのメッキ鋼板を切断もしくは孔開け加工した後、メッキ鋼板を折り曲げ加工して形成される。このため、材料及び加工装置を共通化することができ、コストの大幅な低減を図ることができる。
【００５１】
更に、メッキ鋼板をハット型断面形状に成型するためにロールフォーミング加工を適用することができる。この場合は、大量生産を迅速に行うことができ、コストをより大幅に低減させることができる。先に述べたように本実施形態の構造物設置用架台が適用される太陽電池システムは、大規模な発電所の実現が前提となっているので、太陽電池モジュールの枚数が極めて多く、架台の規模も大きい。このため、ベース桟１２、アーム１３、縦桟１４、横桟１５、及びトラス１６の使用数が多く、これらを迅速に大量生産するには、これらの断面形状及びサイズを同一にして、ロールフォーミング加工を適用するのがよく、この結果としてコストの大幅な低減を可能にしている。
【００５２】
また、ベース桟１２、アーム１３、縦桟１４、横桟１５、及びトラス１６のハット型断面形状は、図１０に示すように各側板ａの間隔が主板ｂから離れるほど広くなるように主板ａに対する各側板ａの折り曲げ角度αを設定した形状である。つまり、桟のハット型断面形状の開口部側で各側板ａが広がって、桟の開口部よりも主板ｂの方の幅が狭くなっている。このため、後で述べるように桟端部の各側板を他の桟端部に重ねるという施工作業が容易になる。
【００５３】
次に、コンクリート基礎１１上に、ベース桟１２、アーム１３、及び縦桟１４を組立ててなる三角構造について説明する。
【００５４】
図１１（ａ）、（ｂ）は、ベース桟１２、アーム１３、及び縦桟１４からなる三角構造を示す斜視図及び正面図である。図１１に示すようにコンクリート基礎１１の上面１１-1にベース桟１２を固定し、ベース桟１２の後端部１２-1にアーム１３を接続して立設し、ベース１２の先端部１２-2とアーム１３の上端部１３-1に縦桟１４を斜めに架け渡して固定し、ベース桟１２、アーム１３、及び縦桟１４からなる三角構造を構築している。
【００５５】
コンクリート基礎１１の上面１１-1には２本のボルト２１を予め突設しており、これらのボルト２１をベース桟１２の主板１２ｂの各長形孔１２ｄに挿し通して、ベース桟１２の主板１２ｂをコンクリート基礎１１の上面１１-1に当接させて、ベース桟１２を載置する。このとき、ベース桟１２並びに各ボルト２１を各長形孔１２ｄに沿って（図１のＹ方向に）移動させることができるので、ベース桟１２をＹ方向に移動させて、Ｙ方向の位置を調節する。
【００５６】
図１２は、ベース桟１２の固定に用いられるコの字型補強金具２２を示す斜視図である。このコの字型補強金具２２は、主板２２ａと、主板２２ａの両縁で折り曲げられたそれぞれの側板２２ｂとを有しており、主板２２ａの中央にボルト孔２２ｃが形成されている。
【００５７】
このようなコの字型補強金具２２を２個用いる。ベース桟１２の主板１２ｂをコンクリート基礎１１の上面１１-1に載置した後、２個のコの字型補強金具２２の孔にそれぞれのボルト２１を通して、各コの字型補強金具２２をベース桟１２の内側に配置する。このとき、図１３に示すようにコの字型補強金具２２の各側板２２ｂがベース桟１２の各側板１２ａと直交するようにコの字型補強金具２２の向きを設定し、コの字型補強金具２２の各側板２２ｂをベース桟１２の主板１２ｂに当接させる。そして、各ボルト２１にそれぞれのナットをねじ込んで締め込み、これによりベース桟１２をコンクリート基礎１１の上面１１-1に固定する。
【００５８】
この状態では、コの字型補強金具２２の各側板２２ｂがベース桟１２の主板１２ｂに圧接して、ベース桟１２の主板１２ｂが補強される。また、コの字型補強金具２２の各側板２２ｂの幅がベース桟１２の各側板１２ａの間隔と略同一に設定されていることから、ベース桟１２の各側板１２ａが補強される。
【００５９】
この後、ベース桟１２の後端部１２-1にアーム１３を接続して立設する。アーム１３の下端部１３-2では主板１３ｂ及び各鍔１３ｃが切除されて、各側板１３ａだけが残されている。また、図１０に示すようにベース桟１２の各側板１２ａがハット型断面形状の開口部側で広がっている。このため、各側板１３ａの下端部を相互に接近するように弾性変形させつつ、ベース桟１２の各側板１２ａの後端部内側に各側板１３ａの下端部を容易に差し込んで挟み込むことができ、各側板１３ａの下端部と各側板１２ａの後端部を重ね合わせることができる。このとき、アーム１３が自立し、引き続くアーム１３の接続作業が容易になる。
【００６０】
このアーム１３が自立した状態で、図１３に示すようにアーム１３の各側板１３ａ間にパイプ２５を挿入して、パイプ２５、アーム１３の各側板１３ａのボルト孔１３ｄ、及びベース桟１２の各側板１２ａのボルト孔１２ｅを位置合わせし、ボルト２６をパイプ２５、アーム１３の各側板１３ａのボルト孔１３ｄ、ベース桟１２の各側板１２ａのボルト孔１２ｅ、及びワッシャに通して、ボルト２６の一端にナット２７をねじ込んで締め込み、アーム１３の各側板１３ａの下端部をベース桟１２の各側板１２ａに接続する。
【００６１】
このようにボルト２６を、パイプ２５、アーム１３の各側板１３ａ、及びベース桟１２の各側板１２ａに通して、ナット２７を締めこむと、パイプ２５が各側板１３ａ、１２ａ間に挟みこまれて、該各側板が補強され、アーム１３及びベース桟１２のハット型断面形状（図１０に示す）の変形を防ぐことができる。また、パイプ２５の長さと桟の各側板間の離間距離が等しく、ナット等と比較して、パイプ２５のサイズが大きいため手作業での施工性が向上する。また、パイプ２５、ボルト２６、及びナット２７等を１個ずつ用いるだけであるから、部品点数、工数、及びコストを低減させることができる。
【００６２】
次に、ベース１２の先端部１２-2とアーム１３の上端部１３-1に縦桟１４を斜めに架け渡して固定する。ベース桟１２の先端部では各鍔１２ｃが切除されている。また、図１０に示すように縦桟１４の各側板１４ａがハット型断面形状の開口部側で広がっている。このため、ベース桟１２の各側板１２ａの先端部を相互に接近するように弾性変形させつつ縦桟１４の各側板１４ａの先端部内側に容易に差し込むことができ、各側板１２ａの先端部と各側板１４ａの先端部を重ね合わせることができる。
【００６３】
この状態で、図１３と同様に、ベース桟１２の各側板１２ａ間にパイプを挿入して、パイプ、ベース桟１２の各側板１２ａのボルト孔１２ｅ、及び縦桟１４の各側板１４ａのボルト孔１４ｅを位置合わせし、ボルトをパイプ、ベース桟１２の各側板１２ａのボルト孔１２ｅ、縦桟１４の各側板１４ａのボルト孔１４ｅ、及びワッシャに通して、ボルトの一端にナットをねじ込んで締め込み、縦桟１４の各側板１４ａの先端部をベース桟１２の各側板１２ａに接続する。
【００６４】
同様に、アーム１３の上端部１３-1でも、主板１３ｂ及び各鍔１３ｃが切除されて、各側板１３ａだけが残されているため、各側板１３ａの上端部を相互に接近するように弾性変形させつつ、各側板１３ａの上端部を縦桟１４の各側板１４ａの内側に差し込むことができる。
【００６５】
この状態で、図１３と同様に、アーム１３の各側板１３ａ間にパイプを挿入して、パイプ、アーム１３の各側板１３ａのボルト孔１３ｄ、及び縦桟１４の各側板１４ａのボルト孔１４ｅを位置合わせし、ボルトをパイプ、アーム１３の各側板１３ａのボルト孔１３ｄ、縦桟１４の各側板１４ａのボルト孔１４ｅ、及びワッシャに通して、ボルトの一端にナットをねじ込んで締め込み、アーム１３の上端部１３-1を縦桟１４の各側板１４ａに接続する。
【００６６】
このようにしてベース桟１２、アーム１３、及び縦桟１４からなる三角構造を構築している。この三角構造では、格別に部品点数を増やさなくても、垂直方向及び水平方向のいずれの力にも十分に耐えることができる。
【００６７】
次に、横桟１５を構成する桟部材１５１、５２を縦桟１４に接続固定するための構造について説明する。
【００６８】
図１４は、横桟１５の桟部材１５１、５２を縦桟１４に接続固定するのに用いられる取付け金具３１を示す斜視図である。この取付け金具３１は、主板３１ａに２つのネジ孔３１ｂを形成し、主板３１ａの両側に側板３１ｃを設け、また主板３１ａの前後にも側板３１ｄを設けて２重に折り曲げ、各側板３１ｄの中央からそれぞれのＴ字型の支持片３１ｅを突出させたものである。
【００６９】
図６及び図１１に示すように縦桟１４の主板１４ｂの両端近傍及び中央には、一対のＴ字形孔１４ｄがそれぞれ形成されている。この一対のＴ字形孔１４ｄ毎に、取付け金具３１を縦桟１４の主板１４ｂに取付け、縦桟１４の主板１４ｂの中央及び両端近傍の３箇所にそれぞれの取付け金具３１を配置する。
【００７０】
図１５に示すように取付け金具３１の各支持片３１ｅの頭部をそれぞれのＴ字形孔１４ｄのスリット１４ｆに挿し込み、各支持片３１ｅをそれぞれのＴ字形孔１４ｄの係合孔１４ｇへと移動させて、各支持片３１ｅの頭部をそれぞれのＴ字形孔１４ｄの係合孔１４ｇに引っ掛けて、取付け金具３１を縦桟１４の主板１４ｂに取付ける。
【００７１】
図１及び図１６に示すように桟部材１５１、１５２を縦桟１４と直交するように該縦桟１４の主板１４ｂ上に載せ、桟部材１５１、１５２の各鍔１５ｃを取付け金具３１の各支持片３１ｅの頭部間に配置する。そして、桟部材１５１、１５２の各鍔１５ｃの長形孔１５ｇを縦桟１４の主板１４ｂの各Ｔ字形孔１４ｄを介して取付け金具３１の各ネジ孔３１ｂに重ね、各ボルト３２を桟部材１５１、１５２の各鍔１５ｃの長形孔１５ｇ及び縦桟１４の主板１４ｂの各Ｔ字形孔１４ｄを介して取付け金具３１の各ネジ孔３１ｂにねじ込んで仮止めする。
【００７２】
この仮止めの状態では、各ボルト３２を桟部材１５１、１５２の各鍔１５ｃの長形孔１５ｇに沿って移動させることができることから、桟部材１５１、１５２を各長形孔１５ｇに沿って（図１のＸ方向に）移動させて、Ｘ方向の位置を調節する。
【００７３】
また、取付け金具３１を縦桟１４の主板１４ｂの各Ｔ字形孔１４ｄに沿って（縦桟１４の長手方向に）移動させることができ、この取付け金具３１と共に桟部材１５１、１５２も移動させることができる。この縦桟１４の長手方向への桟部材１５１、１５２の移動により、縦桟１４上に配置された３本の横桟１５の間隔を調節する。
【００７４】
こうして３本の横桟１５のＸ方向の位置を調節し、各横桟１５の間隔を調節した後、それぞれの取付け金具３１の各ボルト３２を締め込んで、各横桟１５を縦桟１４上に固定する。
【００７５】
このように横桟１５のＸ方向の位置を調節することができる。また、先に述べたようにベース桟１２をＹ方向に移動させて、Ｙ方向の位置を調節することができるため、ベース桟１２の位置調節により横桟１５のＹ方向の位置を調節することができる。従って、横桟１５のＸＹ方向の位置調節が可能である。更に、各横桟１５の間隔を調節することができる。このため、各コンクリート基礎１１の位置に誤差があっても、各横桟１５のＸＹ方向の位置調節及び各横桟１５の間隔の調節により各横桟１５の位置決めを正確に行うことができ、延いては各横桟１５上に取付けられる各太陽電池モジュール１７の位置決めを正確に行うことができる。
【００７６】
次に、横桟１５を構成する複数の桟部材１５１、１５２の接続構造について説明する。
【００７７】
図７に示す桟部材１５１は、図１における横桟１５の最も右側の１番目の桟部材であり、図１における１番目と２番目の各コンクリート基礎１１の縦桟１４間に架け渡され、これらの縦桟１４に取付け金具３１を用いて固定される。
【００７８】
また、図８に示す桟部材１５２は、図１における横桟１５の２番目以降の桟部材であり、１つ手前の順番の桟部材の左側端部と次の縦桟１４間に架け渡される。例えば、２番目の桟部材１５２が１番目の桟部材１５１の左側端部と３番目の縦桟１４間に架け渡され、また３番目の桟部材１５２が２番目の桟部材１５２の左側端部と４番目の縦桟１４間に架け渡され、以降同様に、ｎ番目の桟部材１５２が（ｎ−１）番目の桟部材１５２の左側端部と（ｎ＋１）番目の縦桟１４間に架け渡される。そして、２番目以降の桟部材１５２も、それぞれの縦桟１４に取付け金具３１を用いて固定される。
【００７９】
図７（ａ）、（ｂ）に示すように１番目の桟部材１５１の両端部のいずれにおいても主板１５ｂが切除されていない。また、図８に示すように２番目以降の桟部材１５２の片側端部１５２-1で主板１５ｂ及び各側板１５ａの一辺に沿う部分が切除されて、各側板１５ａ及び各鍔１５ｃだけが残されている。そして、図１及び図３に示すように２番目以降の各桟部材１５２の片側端部１５２-1が１つ手前の順番の桟部材の左側端部に接続さている。
【００８０】
例えば、図１７（ａ）に示すように２番目の桟部材１５２の各側板１５ａの片側端部内側に１番目の桟部材１５１の各側板１５ａの左側端部を差し込んで挟み込んでいる。図１０に示すように横桟１５（桟部材１５１、１５２）のハット型断面形状の開口部側で各側板１５ａが広がっていることから、２番目の桟部材１５２の各側板１５ａの片側端部を１番目の桟部材１５１の各側板１５ａの左側端部に被せるようにするだけで、２番目の各側板１５ａの片側端部内側に１番目の各側板１５ａの左側端部を差し込んで挟み込むことができる。
【００８１】
この状態で、図１７（ｂ）に示すように１番目の桟部材１５１の各側板１５ａ間にパイプ２５を挿入して、パイプ２５、１番目の桟部材１５１の各側板１５ａのボルト孔１５ｆ、及び２番目の桟部材１５２の各側板１５ａのボルト孔１５ｆを位置合わせし、ボルト２６をパイプ２５、１番目の桟部材１５１の各側板１５ａのボルト孔１５ｆ、２番目の桟部材１５２の各側板１５ａのボルト孔１５ｆ、及びワッシャに通して、ボルト２６の一端にナット２７をねじ込んで締め込み、２番目の桟部材１５２の各側板１５ａを１番目の桟部材１５１の各側板１５ａに接続する。
【００８２】
また、３番目の桟部材１５２の各側板１５ａの片側端部を２番目の桟部材１５１の各側板１５ａの左側端部に被せて、３番目の各側板１５ａの片側端部内側に２番目の各側板１５ａの左側端部を差し込んで挟み込み、パイプ２５、ボルト２６、ナット２７、及びワッシャを用いて、３番目の各側板１５ａを２番目の各側板１５ａに接続する。
【００８３】
同様に、ｎ番目の桟部材１５２の各側板１５ａの片側端部内側に（ｎ−１）番目の桟部材１５１の各側板１５ａの左側端部を差し込んで挟み込み、パイプ２５、ボルト２６、ナット２７、及びワッシャを用いて、ｎ番目の各側板１５ａを（ｎ−１）番目の各側板１５ａに接続する。
【００８４】
このように複数の桟部材１５１、１５２を接続することにより１本の長い横桟１５を構成している。
【００８５】
図１７（ａ）、（ｂ）から明らかなように各桟部材１５１、１５２の接続箇所では、両側の側板１５ａが２重構造となり、その強度が向上する。しかも、横桟１５を延長するべく、桟部材１５１、１５２の本数を増やしても、同様の接続工程を繰り返すだけであるから、施工作業が容易である。
【００８６】
また、桟部材１５２の片側端部１５２-1で主板１５ｂを切除していることから、各桟部材の接続箇所において該各桟部材の主板１５ｂが離間する。このため、各桟部材の主板１５ｂが相互に干渉することはなく、各桟部材の端部の接続が容易になる。
【００８７】
次に、中央の横桟１５を補強するためのトラス構造について説明する。
【００８８】
ここで、図１に示すように３本の横桟１５上に複数の太陽電池モジュール１７が２列に並べて搭載されていることから、中央の横桟１５には、上側及び下側の横桟１５よりも大きな荷重がかかっている。例えば、図１において最も右側にある上下２枚の太陽電池モジュール１７に着眼すると、上側及び下側の横桟１５には０．５枚分の太陽電池モジュール１７の荷重がそれぞれかかり、中央の横桟１５には１．０枚分の太陽電池モジュール１７の荷重がかかると概ね考えることができる。従って、中央の横桟１５には、上側及び下側の横桟１５と比較して、略２倍の荷重がかかる。
【００８９】
そこで、上側及び下側の横桟１５にかかる小さな荷重に合わせて、３本の横桟１５の強度を設定して、各横桟１５を共通化すれば、各横桟１５の軽量化とコストの低減を果たすことができる。ただし、中央の横桟１５の強度が不足するので、図１に示すようにベース桟１２と中央の横桟１５間に２本のトラス１６を架け渡して、中央の横桟１５を補強するためのトラス構造を構築している。
【００９０】
換言すれば、各横桟１５のうちの中央のものだけを補強するという構造により、上側及び下側の横桟１５にかかる小さな荷重を基準にして、３本の横桟１５の強度を設定し、各横桟１５の軽量化とコストの低減を果たしている。
【００９１】
尚、本実施形態では、太陽電池モジュール１７を２列に並べたが、３列以上並べてもよい。その場合、上端の横桟および下端の横桟以外の横桟は、上記の中央の横桟に相当するものとし、トラスを付設する。
【００９２】
また、図１において最も右側のベース桟１２を１番目とすると、偶数番目のベース桟１２毎に、トラス構造を配している。これにより、中央の横桟１５のそれぞれの桟部材１５１、１５２が１本のトラス１６のみにより補強され、トラス１６の本数が抑えられて、施工作業の煩雑化及びコストの上昇が抑えられる。
【００９３】
図１８及び図１９は、ベース桟１２と中央の横桟１５間に架け渡された各トラス１６を示す正面図及び側面図である。図１９から明らかなように各トラス１６を側方から見ると、各トラス１６を太陽電池モジュール１７に対して垂直に配置している。これは、太陽電池モジュール１７の荷重もしくは風圧によりトラス１６が倒されないようにするためである。また、各トラス１６を太陽電池モジュール１７に対して垂直に配置するには、各トラス１６をベース桟１２に対して斜めに支持する必要があり、このためにベース桟１２と２本のトラス１６を接続するための接続金具３１の各側板３１ｂを傾斜させている。
【００９４】
図２０（ａ）、（ｂ）は、ベース桟１２と２本のトラス１６を接続するための接続金具３１を示す斜視図及び側面図である。この接続金具３１は、主板３１ａと、主板３１ａの両縁で折り曲げられたそれぞれの側板３１ｂとを有しており、主板３１ａに対して各側板３１ｂが斜めに傾斜している。主板３１ａには２本の長形孔３１ｃが形成され、各側板３１ｂにはボルト孔３１ｄ及びネジ孔３１ｅがそれぞれ形成されている。
【００９５】
この接続金具３１の主板３１ａを偶数番目のベース桟１２の各鍔１２ｃの略中央に載せ、主板３１ａの２つの長形孔３１ｃを各鍔１２ｃのボルト孔１２ｆに重ねて、２本のボルトを主板３１ａの各長形孔３１ｃと各鍔１２ｃのボルト孔１２ｆに通して、これらのボルトの一端にそれぞれのナットをねじ込み、接続金具３１をベース桟１２の各鍔１２ｃ上に仮止めする。
【００９６】
この仮止め状態では、各ボルトを接続金具３１の主板３１ａの各長形孔３１ｃに通していることから、接続金具３１を各長形孔３１ｃに沿って（図１のＸ方向に）移動させることができる。
【００９７】
この接続金具３１の仮止めの後、２本のトラス１６の両端部を接続金具３１と中央の横桟１５に接続する。このとき、２本のトラス１６の各側板１６ａの端部（図９における一端部１６-1）と接続金具３１の各側板３１ｂが互い違いになるように重ね合わせる。そして、相互に対向する最も内側の各側板間にパイプを挿入して、パイプ、各トラス１６の各側板１６ａのボルト孔１６ｄ、及び接続金具３１の各側板３１ｂの孔３１ｄ、３１ｅを位置合わせし、ボルトをパイプ、２本のトラス１６の各側板１６ａのボルト孔１６ｄ、接続金具３１の側板３１ｂのボルト孔３１ｄ、及びワッシャに通して、ボルトの一端を接続金具３１の側板３１ｂのネジ孔３１ｅにねじ込んで、２本のトラス１６の端部を接続金具３１に仮止めする。
【００９８】
また、２本のトラス１６のいずれについても、トラス１６の各側板１６ａの端部（図９における他端部１６-2）を相互に接近するように弾性変形させつつ、これらの側板１６ａの端部を中央の横桟１５の桟部材１５１又は１５２の各側板１５ａの内側に差し込む。そして、トラス１６の各側板１６ａ間にパイプを挿入して、パイプ、トラス１６の各側板１６ａのボルト孔１６ｄ、及び桟部材１５１又は１５２の各側板１５ａのボルト孔１５ｆを位置合わせし、ボルトをパイプ、トラス１６の各側板１６ａのボルト孔１６ｄ、桟部材１５１又は１５２の各側板１５ａのボルト孔１５ｆ、及びワッシャに通して、ボルトの一端にナットをねじ込んで、各トラス１６の端部を桟部材１５１又は１５２に仮止めする。
【００９９】
このような各トラス１６の取付けに際しては、接続金具３１を各長形孔３１ｃに沿って（図１のＸ方向に）移動させながら、各トラス１６の各側板１６ａの端部（図９における他端部１６-2）の位置を調節して、各側板１６ａの端部のボルト孔１６ｄと桟部材１５１又は１５２の各側板１５ａのボルト孔１５ｆの位置合わせを行う必要がある。これは、先に述べたように横桟１５の桟部材１５１、１５２をＸ方向に移動させて、横桟１５のＸ方向の位置を調節していることから、この横桟１５のＸ方向の位置の調節分だけ各トラス１６の位置もずらす必要があるためである。
【０１００】
こうして各トラス１６の両端部を接続金具３１と中央の横桟１５に接続した後、各トラス１６の両端部を接続するためのそれぞれのボルトを締め込んで、各トラス１６を固定する。
【０１０１】
次に、太陽電池モジュール１７を横桟１５上に取付けるための構造について説明する。
【０１０２】
ここで、図１から明らかなように中央の横桟１５は、上下の太陽電池モジュール１７の端部を支持し、また上側及び下側の横桟１５は、上側又は下側の太陽電池モジュール１７の端部を支持している。このため、太陽電池モジュール１７の取付け構造は、中央の横桟１５と上側及び下側の横桟１５とでは異なり、これらの取付け構造を別々に説明する。
【０１０３】
図２１（ａ）、（ｂ）、（ｃ）は、中央の横桟１５において太陽電池モジュール１７の裏面側に配置される第１接続金具を示す正面図、及び第１接続金具を表裏から見て示すそれぞれの斜視図ある。この第１接続金具４１は、側板４１ａ、及び側板４１ａの上縁で折り曲げられた主板４１ｂを有している。主板４１ｂには、該主板４１ｂの一辺中央部で折れ曲がって垂下する垂下片４１ｅ、及び該主板４１ｂの一辺両端部で折れ曲がって起こされた各突起部４１ｆが形成されている。また、主板４１ｂの略中央にネジ孔４１ｄが形成され、側板４１ａにボルト孔４１ｃが形成されている。側板４１ａの高さは、横桟１５の側板１５ａの高さに略等しい。
【０１０４】
図２２（ａ）、（ｂ）は、図２１の第１接続金具４１と共に用いられる補強金具を示す斜視図及び平面図である。この補強金具４２は、相互に対向する一対の側板４２ａ、各側板４２ａの対向一辺を連結する主板４２ｂ、及び各側板４２ａの縁で折れ曲がって外側に突出するそれぞれの鍔４２ｃからなるハット型断面形状を有しており、横桟１５の内側に嵌合されるような幅に設定されている。
【０１０５】
この補強金具４２の各側板４２ａにはそれぞれのネジ孔４２ｄが形成され、また各鍔４２ｃにはそれぞれの長形孔４２ｅが形成されている。
【０１０６】
図２３は、太陽電池モジュール１７の受光面側に配置される第１固定金具を示す斜視図である。この第１固定金具４３は、押圧板４３ａの前後端部に下方に折り曲げられた突起片４３ｂを形成し、押圧板４３ａの中央部にボルト孔４３ｃを形成したものである。
【０１０７】
図２４は、太陽電池モジュール１７の受光面側に配置される第２固定金具を示す斜視図である。この第２固定金具４４は、押圧板４４ａの前後端部に下方に折り曲げられた突起片４４ｂを形成し、押圧板４４ａの中央部にボルト孔４４ｃを形成し、押圧板４４ａの一端縁から垂直に屈曲した立壁４４ｄを形成し、立壁４４ｄの下端縁を折り曲げて底部片４４ｅを形成したものである。
【０１０８】
第１接続金具４１、補強金具４２、第１及び第２固定金具４３、４４のいずれも、ベース桟１２、アーム１３、縦桟１４、横桟１５、及びトラス１６よりも十分に厚い鋼板を加工したものであり、高い強度を有する。
【０１０９】
ここで、第１接続金具４１は、中央の横桟１５の桟部材１５１、１５２の主板１５ｂにおける一対のスリット１５ｄとボルト孔１５ｅの形成箇所にそれぞれ２個１組で配され、図２５に示すように２個の第１接続金具４１の側板４１ａが横桟１５の各側板１５ａに重ねられ、これらの第１接続金具４１の主板４１ｂが横桟１５から外向きに突出するように向けられ、これらの第１接続金具４１の各突起部４１ｆが横桟１５の主板１５ｂよりも上方に突出する。
【０１１０】
また、補強金具４２も、第１接続金具４１と同様に、中央の横桟１５の主板１５ｂにおける一対のスリット１５ｄとボルト孔１５ｅの形成箇所に配されて、横桟１５の内側に嵌合され、図２５に示すように補助金具４２の各側板４２ａが横桟１５の各側板１５ａの下側部分に重ねられ、補助金具４２の各鍔４２ｃが横桟１５の各鍔１５ｃに重ねられる。
【０１１１】
そして、図２５に示すように２本のボルトが、第１接続金具４１の各側板４１ａのボルト孔４１ｃ及び横桟１５の各側板１５ａのボルト孔１５ｆを介して補助金具４２の各側板４２ａのネジ孔４２ｄにそれぞれねじ込まれて締めこまれる。このため、第１接続金具４１の部位では、側板及び鍔が２重もしくは３重構造となり、この部位での強度が高くなる。
【０１１２】
尚、図１における中央の横桟１５の最も右側の１番目の桟部材１５１には、図７に示すように一対のスリット１５ｄとボルト孔１５ｅが４箇所に形成されていることから、この４箇所に第１接続金具４１が２個ずつ設けられ、同４箇所に補助金具４２が１個ずつ設けられる。また、横桟１５の２番目以降の桟部材１５１には、図８に示すように一対のスリット１５ｄとボルト孔１５ｅが３箇所に形成されていることから、この３箇所に第１接続金具４１が２個ずつ設けられ、同３箇所に補助金具４２が１個ずつ設けられる。
【０１１３】
また、図７に示す桟部材１５１の両端部においては、補助金具４２の各鍔４２ｃの長形孔４２ｅが桟部材１５１の各鍔１５ｃの長形孔１５ｇに重なる。更に、図８に示す桟部材１５２の片端部においても、補助金具４２の各鍔４２ｃの長形孔４２ｅが桟部材１５２の各鍔１５ｃの長形孔１５ｇに重なる。このため、桟部材１５１、１５２の各鍔１５ｃの長形孔１５ｇが補助金具４２の各鍔４２ｃで塞がれたり、それらの長形孔１５ｇの長さが制限されることはなく、各長形孔１５ｇに沿う（図１のＸ方向）桟部材１５１、１５２の移動が阻まれることはない。
【０１１４】
図２６（ａ）は、第１接続金具４１、補強金具４２、及び第１固定金具４３を用いて、中央の横桟１５に上下左右４枚の太陽電池モジュール１７を取付けた状態を示す平面図である。また、図２６（ｂ）は図２６（ａ）のＢ−Ｂに沿う断面図であり、図２５（ｃ）Ｃ−Ｃに沿う断面図である。更に、図２７は、図２６の状態を太陽電池モジュールの受光面側から見て示す斜視図である。
【０１１５】
図２６（ａ）、（ｂ）、（ｃ）に示すように下側左右の各太陽電池モジュール１７の枠部材１９を下側の第１接続金具４１の各突起部４１ｆ間に入れて横桟１５の主板１５ｂ上に載置する。このとき、下側左右の各太陽電池モジュール１７の枠部材１９の内縁１９ａが下側の第１接続金具４１の各突起部４１ｆに当接するまで、各太陽電池モジュール１７が横桟１５の主板１５ｂ上でずれ落ちて、各太陽電池モジュール１７の上下位置が位置決めされる。
【０１１６】
そして、図２６（ａ）、（ｂ）、図２７に示すように下側左右の各太陽電池モジュール１７の枠部材１９間に第１固定金具４３の各突起片４３ｂを差し込んで、該各太陽電池モジュール１７の枠部材１９を一定間隔だけ離間させ、同時に図２６（ｂ）に示すように該各太陽電池モジュール１７の枠部材１９の底辺突起部１９ｂを第１接続金具４１の各突起部４１ｆに当接させて、該各太陽電池モジュール１７の左右位置を位置決めする。
【０１１７】
引き続いて、ボルト４５を第１固定金具４３のボルト孔４３ｃ及び下側左右の各太陽電池モジュール１７の枠部材１９の隙間を介して第１接続金具４１の主板４１のネジ孔４１ｄにねじ込んで締め込む。これにより、第１固定金具４３と横桟１５の主板１５ｂ間に下側左右の各太陽電池モジュール１７の枠部材１９が挟み込まれて固定される。
【０１１８】
同様に、上側左右の各太陽電池モジュール１７の枠部材１９を上側の第１接続金具４１の各突起部４１ｆ間に入れて横桟１５の主板１５ｂ上に載置する。このとき、上側左右の各太陽電池モジュール１７の枠部材１９を下側左右の各太陽電池モジュール１７の枠部材１９に当接させて、上側左右の各太陽電池モジュール１７の上下位置を位置決めする。そして、上側左右の各太陽電池モジュール１７の枠部材１９間に第１固定金具４３の各突起片４３ｂを差し込み、該各太陽電池モジュール１７の枠部材１９の底辺突起部１９ｂを第１接続金具４１の各突起部４１ｆに当接させて、該各太陽電池モジュール１７の左右位置を位置決めする。
【０１１９】
引き続いて、ボルト４５を第１固定金具４３のボルト孔４３ｃ及び上側左右の各太陽電池モジュール１７の枠部材１９の隙間を介して第１接続金具４１の主板４１のネジ孔４１ｄにねじ込んで締め込み、上側左右の各太陽電池モジュール１７の枠部材１９を固定する。
【０１２０】
一方、第２固定金具４４は、図１において最も右側又は左側にある上下２枚の太陽電池モジュール１７を固定するために用いられる。
【０１２１】
図２８に示すように最も右側又は左側の太陽電池モジュール１７の枠部材１９を第１接続金具４１の各突起部４１ｆ間に入れて横桟１５の主板１５ｂ上に載置する。そして、第２固定金具４４の底部片４４ｅを横桟１５の主板１５ｂ上に載せ、第２固定金具４４の各突起片４４ｂを太陽電池モジュール１７の枠部材１９に押し付けて、太陽電池モジュール１７の枠部材１９の底辺突起部１９ｂを第１接続金具４１の突起部４１ｆに当接させ、太陽電池モジュール１７の左右位置を位置決めする。
【０１２２】
そして、ボルト４５を第２固定金具４４のボルト孔４４ｃを介して第１接続金具４１の主板４１ｂのネジ孔４１ｄにねじ込んで締め込む。これにより、第２固定金具４４と横桟１５の主板１５ｂ間に太陽電池モジュール１７の枠部材１９が挟み込まれて固定される。
【０１２３】
ここで、先に述べたように第１接続金具４１及び補助金具４２の部位では、横桟１５の側板１５ａ、第１接続金具４１の側板４１ａ、及び補助金具４２の側板４２ａが２重もしくは３重に重なり、また、横桟１５の鍔１５ｃ及び補助金具４２の鍔４２ｃが２重に重なることから、この部位での強度が高くなる。また、横桟１５の主板１５ｂ、各側板１５ａ、及び補助金具４２の主板４２が四角状の閉構造となるので、これによっても該部位での強度が高くなる。
【０１２４】
また、太陽電池モジュール１７の表裏面に強い風圧がかかった際には、風圧により太陽電池モジュール１７の中央部がたわみ、その影響で太陽電池モジュール１７の枠部材１９をその係止箇所から外そうとする強い力が発生する。ところが、本実施形態では、太陽電池モジュール１７の表裏面に風圧がかかっても、第１接続金具４１の突起部４１ｆが太陽電池モジュール１７の枠部材１９の内側に引っ掛かり、太陽電池モジュール１７の枠部材１９が第１接続金具４１と第１又は第２固定金具４３、４４間で挟み込まれることになるため、太陽電池モジュール１７の枠部材１９が外れることはない。
【０１２５】
更に、２個１組の第１接続金具４１は、横桟１５を介して対向配置され、横桟１５の中心線Ｓ（図２６（ａ）に示す）に対して上下対称に配置されている。そして、上下の各太陽電池モジュール１７を固定するための各ボルト４５がそれぞれの第１接続金具４１のネジ孔４１ｄにねじ込まれて、該各ボルト４５も横桟１５の中心線Ｓに対して上下対称に配置されている。
【０１２６】
風圧の影響で第１接続金具４１の突起部４１ｆと第１又は第２固定金具４３、４４の箇所に力が生じるが、この配置設計を誤ると、この力が横桟１５や太陽電池モジュール１７の枠部材１９をねじるように力が作用し、これらが変形してしまう。しかしながら、図２６に示すように、２個１組の第１接続金具４１の突起部４１が第１又は第２固定金具４３、４４のボルト４５並びに桟１５の中心線Ｓと平行な直線上に概ね配置され、かつ、第１又は第２固定金具４３、４４のボルト４５及び突起部４１ｆが横桟１５の中心線Ｓに対して上下対称に配置されているので、風圧の影響による力が横桟１５や太陽電池モジュール１７の枠部材１９をねじるように作用することはなく、これらが変形することはない。
【０１２７】
このねじれの力を防ぐためには、２個の第１接続金具４１の突起部４１ｆ及び第１又は第２固定金具４３、４４のボルト４５を横桟１５の中心線Ｓ上に配置することが最も望ましいが、図２６から明らかなように上下の太陽電池モジュール１７の枠部材１９を横桟１５の中心線Ｓ上に共に固定することができないため、２個の第１接続金具４１の突起部４１ｆ及び第１又は第２固定金具４３、４４のボルト４５を横桟１５の中心線Ｓに対して対称な位置に設けている。
【０１２８】
また、各ボルト４５を横桟１５よりも十分に厚い第１接続金具４１のネジ孔４１ｄにねじ込んでいるので、太陽電池モジュール１７にかかった風圧により各ボルト４５が引き抜かれることもない。
【０１２９】
すなわち、横桟１５、第１接続金具４１、及び補助金具４２により２重もしくは３重構造と閉構造を構成し、かつ上下の各太陽電池モジュール１７を固定するための各突起部４１ｆ及び各ボルト４５を横桟１５の中心線Ｓに対して上下対称に配し、かつ各ボルト４５を十分に厚い第１接続金具４１のネジ孔４１ｄにねじ込んだことにより、横桟１５の耐荷重性が大幅に向上している。
【０１３０】
図２９Ａは、上側及び下側の横桟１５において太陽電池モジュール１７の裏面側に配置される第２接続金具を示す斜視図である。また、図２９Ｂ（ａ）、（ｂ）は、図２９Ａの第２接続金具を示す平面図及び側面図である。この第２接続金具５１は、相互に対向する一対の側板５１ａ、各側板５１ａの対向一辺を連結する主板５１ｂ、及び各側板５１ａの縁で折れ曲がって外側に突出するそれぞれの鍔５１ｃからなるハット型断面形状を有しており、横桟１５の内側に嵌合するような形状及びサイズに設定されている。
【０１３１】
この第２接続金具５１の主板５１ｂの両端から内側へとＬ字形の切り込みがそれぞれ形成され、これらのＬ字形の切り込みの内側が起こされて、それぞれの突起部５１ｆとなっている。また、第２接続金具５１の各側板５１ａにはそれぞれのネジ孔５１ｄが形成され、主板５１ｂの中心線上にネジ孔５１ｅが形成され、各鍔５１ｃにそれぞれの長形孔５１ｇが形成されている。
【０１３２】
この第２接続金具５１も、第１接続金具４１、補強金具４２、第１及び第２固定金具４３、４４と同様に十分に厚い鋼板を加工したものであり、高い強度を有する。
【０１３３】
このような第２接続金具５１は、上側及び下側の横桟１５の主板１５ｂにおける一対のスリット１５ｄとボルト孔１５ｅの形成箇所にそれぞれ配されて、横桟１５の内側に嵌合される。
【０１３４】
図３０に示すように第２接続金具５１が横桟１５の内側に嵌合されると、第２接続金具５１の主板５１ｂの各突起部５１ｆが横桟１５の主板１５ｂの一対のスリット１５ｄから上方に突出する。
【０１３５】
また、第２接続金具５１の各側板５１ａが横桟１５の各側板１５ａに重なり、主板５１ｂが横桟１５の主板１５ｂに重なり、各鍔５１ｃが横桟１５の各鍔１５ｃに重なる。
【０１３６】
この状態で、２本のボルトが、横桟１５の各側板１５ａのボルト孔１５ｆを介して第２接続金具５１の各側板５１ａのネジ孔５１ｄにそれぞれねじ込まれて締め込まれる。このため、第２接続金具５１の部位では、主板、側板、及び鍔が２重構造となり、この部位での強度が高くなる。
【０１３７】
尚、図１における上側及び下側の横桟１５の最も右側の１番目の桟部材１５１には、図７に示すように一対のスリット１５ｄとボルト孔１５ｅが４箇所に形成されていることから、この４箇所に第２接続金具５１が設けられる。また、横桟１５の２番目以降の桟部材１５１には、図８に示すように一対のスリット１５ｄとボルト孔１５ｅが３箇所に形成されていることから、この３箇所に第２接続金具５１が設けられる。
【０１３８】
また、図７に示す桟部材１５１の両端部においては、第２接続金具５１の各鍔５１ｃの長形孔５１ｇが桟部材１５１の各鍔１５ｃの長形孔１５ｇに重なる。更に、図８に示す桟部材１５２の片端部においても、第２接続金具５１の各鍔５１ｃの長形孔５１ｇが桟部材１５２の各鍔１５ｃの長形孔１５ｇに重なる。このため、桟部材１５１、１５２の各鍔１５ｃの長形孔１５ｇが第２接続金具５１各鍔５１ｃで塞がれたり、それらの長形孔１５ｇの長さが制限されることはなく、各長形孔１５ｇに沿う桟部材１５１、１５２の移動が阻まれることはない。
【０１３９】
図３１（ａ）は、第２接続金具５１及び第１固定金具４３を用いて、上側及び下側の横桟１５に左右の２枚の太陽電池モジュール１７を取付けた状態を示す平面図である。また、図３１（ｂ）は図３１（ａ）のＢ−Ｂに沿う断面図であり、図３１（ｃ）Ｃ−Ｃに沿う断面図である。
【０１４０】
図３１（ａ）、（ｂ）、（ｃ）に示すように左右の各太陽電池モジュール１７の枠部材１９を第２接続金具５１の各突起部５１ｆ間に入れて横桟１５の主板１５ｂ上に載置する。そして、左右の各太陽電池モジュール１７の枠部材１９間に第１固定金具４３の各突起片４３ｂを差し込んで、該各太陽電池モジュール１７の枠部材１９を一定間隔だけ離間させ、同時に該各太陽電池モジュール１７の枠部材１９の底辺突起部１９ｂを第２接続金具５１の各突起部５１ｆに当接させて、該各太陽電池モジュール１７の左右位置を位置決めする。
【０１４１】
引き続いて、ボルト４５を第１固定金具４３のボルト孔４３ｃ、各太陽電池モジュール１７の枠部材１９の隙間、及び横桟１５の主板１５ｂのボルト孔１５ｅを介して第２接続金具５１の主板５１のネジ孔５１ｅにねじ込んで締め込む。これにより、第１固定金具４３と横桟１５の主板１５ｂ間に各太陽電池モジュール１７の枠部材１９が挟み込まれて固定される。
【０１４２】
一般には、施工性を考慮して、下側の太陽電池モジュール１７の下側の側辺を支えるように接続金具を配置する。しかし、先に用いた第１接続金具４１により中央の横桟１５にて上下方向の位置決めがされているため、第２接続金具５１による固定箇所は太陽電池モジュール１７の水流れ方向の側辺でよい。このため施工性を損なうことなく、接続金具４１、５１の間隔を太陽電池モジュール１７の水流れ方向の側辺より短くすることが可能となる。下側の太陽電池モジュール１７に支えられて位置決めされる上側の太陽電池モジュール１７の接続金具４１、５１の間隔についても同様である。これにより、縦桟１４を上下の太陽電池モジュール１７の水流れ方向の長さよりも短くすることが可能となり、延いては架台の小型化も可能になる。
【０１４３】
また、第２固定金具４４は、図１において最も右側又は左側にある上下２枚の太陽電池モジュール１７を固定するために用いられる。図３２に示すように最も右側又は左側の太陽電池モジュール１７の枠部材１９を第２接続金具５１の各突起部５１ｆ間に入れて横桟１５の主板１５ｂ上に載置する。そして、第２固定金具４４の底部片４４ｅを横桟１５の主板１５ｂ上に載せ、第２固定金具４４の各突起片４４ｂを太陽電池モジュール１７の枠部材１９に押し付けて、太陽電池モジュール１７の枠部材１９の底辺突起部１９ｂを第２接続金具５１の突起部５１ｆに当接させ、太陽電池モジュール１７の左右位置を位置決めし、ボルト４５を第２固定金具４４のボルト孔４３ｃ及び横桟１５の主板１５ｂのボルト孔１５ｅを介して第２接続金具５１の主板５１のネジ孔５１ｅにねじ込んで締め込む。これにより、第２固定金具４４と横桟１５の主板１５ｂ間に太陽電池モジュール１７の枠部材１９が挟み込まれて固定される。
【０１４４】
ここで、先に述べたように第２接続金具５１の部位では、側板、主板、及び鍔が２重構造となることから、この部位での強度が高くなる。
【０１４５】
また、太陽電池モジュール１７の表裏面に強い風圧がかかった際には、風圧により太陽電池モジュール１７の中央部がたわみ、その影響で太陽電池モジュール１７の枠部材１９をその係止箇所から外そうとする強い力が発生する。ところが、本実施形態では、太陽電池モジュール１７の表裏面に風圧がかかっても、第２接続金具５１の突起部５１ｆが太陽電池モジュール１７の枠部材１９の内側に引っ掛かり、太陽電池モジュール１７の枠部材１９が第２接続金具５１と第１又は第２固定金具４３、４４間で挟み込まれることになるため、太陽電池モジュール１７の枠部材１９が外れることはない。
【０１４６】
また、横桟１５の主板１５ｂの中心線Ｓ（図３１（ａ）に示す）上にボルト孔１５ｅが形成され、第２接続金具５１の主板５１ｂの中心線Ｓ上にネジ孔５１ｅが形成されている。そして、太陽電池モジュール１７を固定するためのボルト４５がボルト孔１５ｅを介してネジ孔５１ｅにねじ込まれて、ボルト４５が横桟１５の主板１５ｂ及び第２接続金具５１の主板５１ｂの中心線Ｓ上に配置されている。
【０１４７】
このように第２接続金具５１の突起部５１ｆが横桟１５の中心線Ｓ上に概ね配置され、かつ第１又は第２固定金具４３、４４のボルト４５も横桟１５の中心線Ｓ上に配置されているので、風圧の影響による力が横桟１５や太陽電池モジュール１７の枠部材１９をねじるように作用することは殆どなく、これらが変形することはない。
【０１４８】
このねじれの力を防ぐには、第２接続金具５１の突起部５１ｆとボルト４５が横桟１５の中心線Ｓ上にあるのが理想的であるが、第２接続金具５１の強度的な観点から突起部５１ｆを形成するためのＬ字型切り込みエリアと側板５１ａ間の距離を確保する必要があって、このために突起部５１ｆが中心線Ｓからややずれた位置に設けられている。しかしながら、第１又は第２固定金具４３、４４のボルト４５が横桟１５の中心線Ｓ上にあるので、ねじれの力の影響が極力小さく抑えられている。
【０１４９】
また、ボルト４５を横桟１５よりも十分に厚い第２接続金具５１のネジ孔５１ｅにねじ込んでいるので、太陽電池モジュール１７にかかった風圧によりボルト４５が引き抜かれることもない。
【０１５０】
すなわち、横桟１５及び第２接続金具５１により２重構造を構成し、かつ太陽電池モジュール１７を固定するための突起部５１ｆ及びボルト４５を横桟１５の中心線Ｓ上に配し、かつボルト４５を十分に厚い第２接続金具５１のネジ孔５１ｅにねじ込んだことにより、横桟１５の耐荷重性が大幅に向上している。
【０１５１】
次に、図３３乃至図４４を参照しつつ図１の太陽電池システムの施工手順を整理して説明する。
【０１５２】
まず、図１に示すように複数のコンクリート基礎１１を地面上に等間隔に形成し、それらの上面１１-1を水平かつ面一として、水平な基礎面を形成する。
【０１５３】
図３３に示すようにベース桟１２をコンクリート基礎１１の上面１１-1に固定する。このとき、先に述べたようにコンクリート基礎１１の上面１１-1の２本のボルト２１をベース桟１２の主板１２ｂの各長形孔１２ｄに挿し通して、ベース桟１２を載置し、ベース桟１２をＹ方向に移動させて、Ｙ方向の位置を調節する。そして、２個のコの字型補強金具２２の孔にそれぞれのボルト２１を通して、各コの字型補強金具２２をベース桟１２の内側に配置し、各ボルト２１にそれぞれのナットをねじ込んで締め込み、ベース桟１２を固定する。
【０１５４】
図３４に示すようにベース桟１２の後端部内側にアーム１３の各側板１３ａの下端部を差し込んで挟み込み、アーム１３を自立させ、先に述べたようにアーム１３の各側板１３ａ間にパイプを挿入して、ボルトをパイプ、アーム１３の各側板１３ａのボルト孔１３ｄ、ベース桟１２の各側板１２ａのボルト孔１２ｅ、及びワッシャに通して、ボルトの一端にナットをねじ込んで締め込み、アーム１３の各側板１３ａの下端部をベース桟１２の各側板１２ａに固定する。
【０１５５】
図３５に示すようにベース１２の先端部とアーム１３の上端部に縦桟１４を斜めに架け渡して固定する。ベース１２の先端部と縦桟１４の間、及びアーム１３の上端部と縦桟１４の間でも、パイプ、ボルト、ワッシャ、及びナット等を用いて、両者を接続する。
【０１５６】
図３６に示すように縦桟１４の主板１４ｂに形成された一対のＴ字形孔１４ｄに取付け金具３１を取付ける。縦桟１４の主板１４ｂの３箇所に一対のＴ字形孔１４ｄがそれぞれ形成されているので、それぞれの箇所に取付け金具３１を取付ける。
【０１５７】
図３７に示すようにコンクリート基礎１１毎に、ベース桟１２、アーム１３、及び縦桟１４からなる三角構造を構築する。また、各縦桟１４のいずれについても、主板１４ｂの３箇所に取付け金具３１を取付ける。
【０１５８】
図３８に示すように中央の横桟１５となる桟部材１５１、１５２に、第１接続金具４１及び補強金具４２を取付ける。
【０１５９】
図３９に示すように上側及び下側の横桟１５となる桟部材１５１、１５２に、第２接続金具５１を取付ける。
【０１６０】
図４０に示すように最も右側の１番目と２番目の各コンクリート基礎１１の縦桟１４間に３本の桟部材１５１を架け渡し、縦桟１４毎に、各桟部材１５１を縦桟１４の３箇所の取付け金具３１により固定する。中央の桟部材１５１が図３８に示すように第１接続金具４１及び補強金具４２を取付けられたものであり、上側及び下側の桟部材１５１が図３９に示すように第２接続金具５１を取付けられたものである。このとき、各桟部材１５１をＸ方向に移動させて、Ｘ方向の位置を調節する。また、各桟部材１５１の間隔を調節する。
【０１６１】
図４１に示すように各桟部材１５１が各縦桟１４の間隔よりも僅かに長く、各桟部材１５１の左側端部が２番目の縦桟１４を超えて張り出している。
【０１６２】
図４１及び図４２に示すように２番目の下側の桟部材１５２の片側端部１５２-1を、２番目の縦桟１４から張り出した１番目の桟部材１５１の左側端部に載せて、各桟部材１５１、１３の端部をパイプ、ボルト、ワッシャ、及びナット等により接続する。このとき、図１０に示すように桟部材１５１、１５２のハット型断面形状の開口部側で各側板１５ａが広がっていることから、２番目の桟部材１５２の各側板１５ａの片側端部を１番目の桟部材１５１の各側板１５ａの左側端部に被せるようにするだけで、２番目の各側板１５ａの片側端部内側に１番目の各側板１５ａの左側端部を差し込んで挟み込むことができる。同時に、２番目の下側の桟部材１５２の左側端部を３番目の縦桟１４上に載せて、この桟部材１５２の左側端部を縦桟１４の取付け金具３１により固定する。同様の手順で、２番目の中央及び上側の各桟部材１５２を１番目の中央及び上側の各桟部材１５１の左側端部と３番目の縦桟１４間に架け渡して固定する。
【０１６３】
３番目の桟部材１５２については、図４１に示すように２番目の桟部材１５２の左側端部が３番目の縦桟１４を超えて張り出していることから、３番目の桟部材１５２を２番目の桟部材１５２の左側端部と４番目の縦桟１４間に架け渡して固定する。
【０１６４】
以降同様に、ｎ番目の桟部材１５２については、（ｎ−１）番目の桟部材１５２の左側端部と（ｎ＋１）番目の縦桟１４間に架け渡して固定する。
【０１６５】
図４１及び図４２から明らかなように各桟部材１５１、１５２の接続箇所近傍を縦桟１４に載せて、横桟１５を架設している。これにより各桟部材１５１、１５２の接続箇所が補強され、横桟１５全体の強度の向上が図られている。
【０１６６】
図４３に示すように偶数番目のベース桟１２毎に、ベース桟１２と中央の横桟１５間に２本のトラス１６を架け渡して、中央の横桟１５を補強するためのトラス構造を構築する。
【０１６７】
図４４に示すように上下左右の各太陽電池モジュール１７の枠部材１９を、第１接続金具４１、第２接続金具５１、第１固定金具４３、及び第２固定金具４４により固定する。このとき、先に述べたように中央の横桟１５上で、下側の太陽電池モジュール１７の枠部材１９の内縁１９ａを下側の第１接続金具４１の突起部４１ｆに当接させて、下側の太陽電池モジュール１７の上下位置を位置決めし、この後に上側の太陽電池モジュール１７の枠部材１９を下側の太陽電池モジュール１７の枠部材１９に当接させて、上側の太陽電池モジュール１７の上下位置を位置決めする。
【０１６８】
図４４から明らかなように太陽電池モジュール１７の側辺に対して、第１又は第２固定金具４３、４４を２個ずつ、第１及び第２接続金具４１、５１をそれぞれ１個ずつ配して、太陽電池モジュール１７の側辺よりも短い間隔の２箇所で該側辺を固定している。このため、固定金具及び接続金具の配置間隔を狭くして、縦桟１４の長さを太陽電池モジュール１７の側辺よりも短くし、構造物設置用架台の小型化を図ることができる。
【０１６９】
以上、本発明の実施形態を詳述したが、本発明は、上記実施形態に限定されるものではなく、本発明の要旨を逸脱しない範疇の設計変更等が施されたものであっても、本発明の範囲に含まれる。
【０１７０】
例えば、上記実施形態の架台は、ベース桟、アーム、縦桟、横桟、トラスを組み合わせて構築されているが、他の構造のものであってもよく、ベース桟、アーム、縦桟、トラスの代わりとなる部材を用いて、横桟を架け渡しても構わない。
【０１７１】
また、複数の桟部材を接続して、横桟を構成しているが、縦桟、ベース桟等の他の種類の桟であっても、その長さが長くて、単一の部材で構成するのが困難な場合は、複数の桟部材を接続して、他の種類の桟を構成してもよい。
【０１７２】
更に、上記実施形態では、図８に示すように桟部材１５２の片側端部１５２-1で主板１５ｂ及び各側板１５ａの一辺に沿う部分を切除し、各側板１５ａ及び各鍔１５ｃだけを残しているが、図４５（ａ）に示すように桟部材１５２の片側端部１５２-1で、各側板１５ａの対向一辺に沿う部分１５ｈを切除して、各側板１５ａを主板１５ｂから分離させるだけでも構わない。この場合も、図４５（ｂ）、（ｃ）に示すように桟部材１５２の各側板１５ａの片側端部１５２-1の内側又は外側に他の桟部材１５１又は１５２の各側板１５ａの端部を容易に重ね合わせることができる。
【０１７３】
また、図８及び図４５（ａ）のいずれの桟部材１５２の片側端部１５２-1であっても、片側端部１５２-1の外側に他の桟部材１５１又は１５２の端部を被せて重ね合わせ、各桟部材の端部を接続することも可能である。
【０１７４】
更に、図１７（ｂ）等に示すようにパイプ、ボルト、ナットを用いて、各桟を相互に接続するだけではなく、他の方法で接続しても構わない。例えば、図４６に示すように桟部材の各側板１５ａ間に筒状雌ねじ部材６１を挿入し、２本のボルト６２を各桟部材の各側板１５ａのボルト孔１５ｆを通じて筒状雌ねじ部材６１両端から該筒状雌ねじ部材６１内側の雌ネジにそれぞれねじ込んで締め込むことにより各桟部材を接続してもよい。この場合も、筒状雌ねじ部材６１が各側板１５ａ間に挟みこまれて、該各側板が補強され、桟部材のハット型断面形状の変形を防ぐことができる。また、筒状雌ねじ部材６１の長さと各側板間の離間距離が等しく、ナット等と比較して、筒状雌ねじ部材６１のサイズが大きいため手作業での施工性が向上する。また、筒状雌ねじ部材６１及び２本のボルト６２を用いるだけであるから、部品点数、工数、及びコストを低減させることができる。
【０１７５】
また、ベース桟、アーム、縦桟、横桟、トラスとして、一対の側板、各側板の対向一辺を連結する主板、及び各側板の縁で外側に折り曲げられたそれぞれの鍔からなるハット型断面形状を有するものを例示しているが、この代わりに、一対の側板及び各側板の対向一辺を連結する主板からなるコの字型断面形状を有するものを適用することができる。あるいは、これらの断面形状を適宜に組み合わせても構わない。
【０１７６】
更に、第１接続金具４１と補強金具４２を併用しているが、第２接続金具５１の内側に嵌合する補強金具を設けてもよい。これらの補強金具の断面形状は、ハット字型及びコの字型のいずれもよく、いずれであっても横桟１５の断面形状を四角状の閉構造として、横桟１５の強度を向上させることができる。
【０１７７】
また、本実施形態の架台では、太陽電池モジュールを支持しいているが、この代わりに、太陽熱発電に用いられる反射鏡パネルを支持してもよい。これにより、太陽熱発電システムを構築することができる。
【０１７８】
更に、本実施形態では、主板端部および側板端部の一部を切除した形状としたが、主板と側板の接する部分（主板と側板間の一辺）に切り込みを入れるだけでも、各側板端部を弾性変形させることが可能となるため、桟部材の各側板端部の内側又は外側に他の桟部材の各側板端部を重ね合わせて、各桟部材を接続することができる。
【０１７９】
また、本実施形態では、２個１組の第１接続金具４１を桟１５の中心線Ｓに対して上下対称に配置し、また、各ボルト４５も横桟１５の中心線Ｓに対して上下対称に配置しているが、同様の効果が得られる範囲において、各第１接続金具４１もしくは各ボルト４５を上下対称の位置から少しずれて配置してもよい。
【０１８０】
同様に、横桟１５の主板１５ｂのボルト孔１５ｅを中心線Ｓ上に形成し、第２接続金具５１のネジ孔５１ｅを中心線Ｓ上に形成しているが、同様の効果が得られる範囲において、ボルト孔１５ｅもしくはネジ孔５１ｅを中心線Ｓから少しずらして形成してもよい。
【０１８１】
また、本実施形態の架台では、材料として主に鋼鉄を用いているが、同一サイズ及び同一断面形状の桟部材同士で、一方の桟部材の各側板端部を他方の桟部材の各側板端部に重ねるには、人力により桟部材の各側板端部を該各側板の板厚分だけ弾性変形させる必要がある。このため、少なくとも桟部材の板厚を２．０mm以下にすることが望ましく、良好な施工性を実現するには、１．６mm以下であることが好ましい。一方、構造物を支持するための桟部材の強度を確保する必要もあるため、桟部材の板厚を０．５mm以上にするのが望ましい。
【０１８２】
更に、第１もしくは第２接続金具の形状や構造を適宜変更しても構わない。要するに、それらの接続金具は、桟部材の各桟側板の内側又は外側に重ねられたそれぞれの接続側板と、各接続側板の上縁で折り曲げられ構造物（太陽電池モジュール１７）が接続固定される接続主板と、構造物の一部に接するように接続主板から上方に突出した突起部とを少なくとも有し、これにより構造物を桟部材に接続固定することを可能にするものであって、その機能を果たす限りにおいてその形状や構造を適宜変更することが可能である。
図４７は、太陽電池モジュール１７を中央の横桟１５に取り付けるための第１接続金具の変形例を示す斜視図である。また、図４８は、図４７の第１接続金具を中央の横桟に取付けた状態を示す断面図である。
【０１８３】
この変形例の第１Ａ接続金具７１は、側板７１ａ、側板７１ａの下縁で折り曲げられた底板７１ｂ、側板７１ａの上縁で折り曲げられた主板７１ｃ、主板７１ｃの一辺両端部で折れ曲がって起こされた各突起部７１ｅ、主板７１ｃの略中央に形成されたネジ孔７１ｆ、及び側板７１ａの略中央に形成されたボルト孔７１ｇを有している。
【０１８４】
また、第１Ａ接続金具７１の側板７１ａにおけるボルト孔７１ｇの上側位置には、コの字型の切り込みが入れられ、このコの字型の内側部分が側板７１ａから底板７１ｂ及び主板７１ｃとは反対側に押出されて爪部７１ｈとなっている。
【０１８５】
第１Ａ接続金具７１の底板７１ｂ下面から主板７１ｃ上面までの高さは、中央の横桟１５の鍔１５ｃ上面から主板１５ｂ上面までの高さよりも高くなっている。具体的には、第１Ａ接続金具７１の主板７１ｃ上面までの高さが横桟１５の主板１５ｂ上面までの高さよりも金具の板厚分だけ高くされている。
【０１８６】
この第１Ａ接続金具７１は、図２１（ａ）〜（ｃ）の第１接続金具４１と同様に、中央の横桟１５の主板１５ｂにおける一対のスリット１５ｄとボルト孔１５ｅ（図３等を参照）の形成箇所にそれぞれ２個１組で配され、２個の第１Ａ接続金具７１の側板７１ａが横桟１５の各側板１５ａに重ねられ、各第１Ａ接続金具７１の主板７１ｃが横桟１５から外向きに突出するように向けられ、各第１Ａ接続金具７１の各突起部７１ｅが横桟１５の主板１５ｂよりも上方に突出する。
【０１８７】
このとき、各第１Ａ接続金具７１の側板７１ａの爪部７１ｈが横桟１５の各側板１５ａの係合孔（図示せず）に係合して、各第１Ａ接続金具７１が横桟１５の各側板１５ａに仮止めされる。ここでは、横桟１５の各側板１５ａの適切箇所に係合孔が形成されているものとする。
【０１８８】
また、先に述べたような第１Ａ接続金具７１の底板７１ｂ下面から主板７１ｃ上面までの高さ設定により、第１Ａ接続金具７１の主板７１ｃ上面が横桟１５の主板１５ｂ上面よりも金具の板厚分だけ高くなる。
【０１８９】
この状態で、横桟１５の各側板１５ａ間にパイプ７２を挿入して、パイプ７２、横桟１５の各側板１５ａのボルト孔１５ｆ、及び各第１Ａ接続金具７１の側板７１ａのボルト孔７１ｇを位置合わせし、ボルト７３をパイプ７２、横桟１５の各側板１５ａのボルト孔１５ｆ、各第１Ａ接続金具７１の側板７１ａのボルト孔７１ｇ、及びワッシャに通して、ボルト７３の一端にナット７４をねじ込んで締め込み、各第１Ａ接続金具７１を横桟１５に固定する。
【０１９０】
そして、図４９に示すように太陽電池モジュール１７の枠部材１９を第１Ａ接続金具７１の各突起部７１ｅ間に入れて主板７１ｃ上に載置し、第２固定金具４４（又は第１固定金具４３）を太陽電池モジュール１７の枠部材１９に押し当てて、ボルト４５を第２固定金具４４のボルト孔４４ｃ（又は第１固定金具４３のボルト孔４３ｃ）を介して第１Ａ接続金具７１の主板７１ｃのネジ孔７１ｆにねじ込んで締め込み、第２固定金具４４（又は第１固定金具４３）と第１Ａ接続金具７１の主板７１ｃ間に太陽電池モジュール１７の枠部材１９を挟み込んで固定する。
【０１９１】
この状態では、第１Ａ接続金具７１の主板７１ｃ上面が横桟１５の主板１５ｂ上面よりも金具の板厚分だけ高くなっていることから、太陽電池モジュール１７の枠部材１９が横桟１５の主板１５ｂ上面より浮き上がる。このため、太陽電池モジュール１７の枠部材１９と横桟１５の主板１５ｂ間に水を逃がす経路が形成され、部材の錆びの発生を防止することができる。本実施形態では、金具の板厚分高くしたが、同目的のためには、桟の板厚分高くても同様の効果がある。
【０１９２】
図５０は、第１接続金具の他の変形例を示す斜視図である。この変形例の第１Ｂ接続金具８１は、側板８１ａ、側板８１ａの下縁で折り曲げられた底板８１ｂ、側板８１ａの上縁で折り曲げられた主板８１ｃ、主板８１ｃの一辺の複数箇所で折れ曲がって起こされた各突起部８１ｅ、主板８１ｃに形成された２つのネジ孔８１ｆ、側板８１ａの複数箇所に形成されたボルト孔（図示せず）、及び２つの爪部８１ｈを有している。この第１Ｂ接続金具８１は、太陽電池モジュール１７の幅よりも長くされている。
【０１９３】
各突起部８１ｅが５個あり、各突起部８１ｅ間に４つの切り欠き部８１ｉ、８１ｊが形成され、両端の２つの切り欠き部８１ｉの箇所で主板８１ｃのネジ孔８１ｆがそれぞれ形成されている。２つのねじ孔８１ｆ間の距離は、太陽電池モジュール１７の幅よりも若干長くされている。
【０１９４】
第１Ｂ接続金具８１の底板８１ｂ下面から主板８１ｃ上面までの高さは、中央の横桟１５の鍔１５ｃ上面から主板１５ｂ上面までの高さよりも金具の板厚分だけ高くされている。
【０１９５】
図５１に示すように第１Ｂ接続金具８１は、図４７及び図４８の第１Ａ接続金具７１と共に用いられる。第１Ｂ接続金具８１が中央の横桟１５の中央部に２個１組で配され、また第１Ａ接続金具７１が中央の横桟１５の両端部にそれぞれ２個１組で配される。第１Ａ接続金具７１及び第１Ｂ接続金具８１のいずれについても、それらの側板７１ａ、８１ａが横桟１５の各側板１５ａに重ねられ、それらの主板７１ｃ、８１ｃが横桟１５から外向きに突出するように向けられ、それらの突起部７１ｅ、８１ｅが横桟１５の主板１５ｂよりも上方に突出する。また、それらの側板７１ａ、８１ａの爪部７１ｈ、８１ｈが横桟１５の各側板１５ａの係合孔（図示せず）に係合して、第１Ａ接続金具７１及び第１Ｂ接続金具８１が横桟１５の各側板１５ａに仮止めされる。更に、それらの主板７１ｃ、８１ｃ上面が横桟１５の主板１５ｂ上面よりも金具の板厚分だけ高くなる。
【０１９６】
この状態で、第１Ａ接続金具７１については図４８と同様に、横桟１５の各側板１５ａ間にパイプ７２を挿入して、ボルト７３をパイプ７２、横桟１５の各側板１５ａのボルト孔１５ｆ、各第１Ａ接続金具７１の側板７１ａのボルト孔７１ｇ、及びワッシャに通して、ボルト７３の一端にナット７４をねじ込んで締め込み、各第１Ａ接続金具７１を横桟１５に固定する。また、第１Ｂ接続金具８１についても、横桟１５の各側板１５ａ間にパイプ７２を挿入して、ボルト７３をパイプ７２、横桟１５の各側板１５ａのボルト孔１５ｆ、各第１Ｂ接続金具８１の側板８１ａのボルト孔、及びワッシャに通して、ボルト７３の一端にナット７４をねじ込んで締め込み、各第１Ｂ接続金具８１を横桟１５に固定する。第１Ｂ接続金具８１の側板８１ａには４つのボルト孔が形成されているので、これらのボルト孔別に、パイプ７２、ボルト７３、及びナット７４を用いて、第１Ｂ接続金具８１を横桟１５に固定する。
【０１９７】
この後、横桟１５の一端部の第１Ａ接続金具７１と第１Ｂ接続金具８１間に上下２枚の太陽電池モジュール１７の枠部材１９を載せ、第１Ｂ接続金具８１にも上下２枚の太陽電池モジュール１７の枠部材１９を載せ、横桟１５の他端部の第１Ａ接続金具７１と第１Ｂ接続金具８１間にも上下２枚の太陽電池モジュール１７の枠部材１９を載せ、１本の横桟１５に合計６枚の太陽電池モジュール１７の枠部材１９を載せる。
【０１９８】
第１Ａ接続金具７１では、図４９に示すように太陽電池モジュール１７の枠部材１９を固定する。
【０１９９】
また、第１Ｂ接続金具８１では、両端の２つの切り欠き部８１ｉの箇所が第１Ａ接続金具７１の各突起部７１ｅ間のスペースに相当し、左右に隣り合う２枚の太陽電池モジュール１７の枠部材１９を切り欠き部８１ｉの箇所に入れて主板８１ｃ上に載置し、図２７と同様に、第１固定金具４３を各太陽電池モジュール１７の枠部材１９間に挿入して、ボルト４５を第１固定金具４３のボルト孔４３ｃを介して第１Ｂ接続金具８１の主板８１ｃのネジ孔８１ｆにねじ込んで締め込み、第１固定金具４３と第１Ｂ接続金具８１の主板８１ｃ間に各太陽電池モジュール１７の枠部材１９を挟み込んで固定する。
【０２００】
また、両端の２つの切り欠き部８１ｉに１枚の太陽電池モジュール１７の枠部材１９の両辺が配置され、この太陽電池モジュール１７の枠部材１９の両辺にそれぞれの第１固定金具４３が押し当てられ、２本のボルト４５がそれぞれの第１固定金具４３のボルト孔４３ｃを介して第１Ｂ接続金具８１の主板８１ｃのネジ孔８１ｆにねじ込まれる。従って、２つのねじ孔８１ｆ間のスペースに太陽電池モジュール１７を配置し得るように、各ねじ孔８１ｆ間の距離を太陽電池モジュール１７の幅よりも若干長くしなければならない。
【０２０１】
このような第１Ｂ接続金具８１を第１Ａ接続金具７１と共に用いた場合も、第１Ａ接続金具７１の主板７１ｃ上面及び第１Ｂ接続金具８１の主板８１ｃ上面が横桟１５の主板１５ｂ上面よりも金具の板厚分だけ浮き上がることから、太陽電池モジュール１７の枠部材１９と横桟１５の主板１５ｂ間に水を逃がす経路が形成され、部材の錆びの発生を防止することができる。
【０２０２】
また、第１Ｂ接続金具８１が太陽電池モジュール１７の幅よりも長いことから、第１Ｂ接続金具８１の側板８１ａ及び底板８１ｂが中央の横桟１５の側板１５ａ及び鍔１５ｃに重なる距離が長くなり、第１Ｂ接続金具８１が中央の横桟１５に固定されると、この中央の横桟１５が効果的に補強される。従って、第１Ｂ接続金具８１は、３枚の太陽電池モジュール１７の枠部材１９を支持するだけではなく、中央の横桟１５の補強具としての役目を果たす。中央の横桟１５には、上側及び下側の横桟１５よりも大きな荷重がかかることから、そのような中央の横桟１５の補強は有益である。
【符号の説明】
【０２０３】
１１  コンクリート基礎
１２  ベース桟
１３  アーム
１４  縦桟
１５  横桟
１６  トラス
１７  太陽電池モジュール
１８  太陽電池パネル
１９  枠部材
２１、２６、３２、４５  ボルト
２２  コの字型補強金具
２５  パイプ
２７  ナット
３１  取付け金具
４１  第１接続金具
４２  補強金具
４３  第１固定金具
４４  第２固定金具
５１  第２接続金具
７１  第１Ａ接続金具
８１  第１Ｂ接続金具
【図１】
0005425162.tif 000002
【図２】
0005425162.tif 000003
【図３】
0005425162.tif 000004
【図４】
0005425162.tif 000005
【図５】
0005425162.tif 000006
【図６】
0005425162.tif 000007
【図７】
0005425162.tif 000008
【図８】
0005425162.tif 000009
【図９】
0005425162.tif 000010
【図１０】
0005425162.tif 000011
【図１１】
0005425162.tif 000012
【図１２】
0005425162.tif 000013
【図１３】
0005425162.tif 000014
【図１４】
0005425162.tif 000015
【図１５】
0005425162.tif 000016
【図１６】
0005425162.tif 000017
【図１７】
0005425162.tif 000018
【図１８】
0005425162.tif 000019
【図１９】
0005425162.tif 000020
【図２０】
0005425162.tif 000021
【図２１】
0005425162.tif 000022
【図２２】
0005425162.tif 000023
【図２３】
0005425162.tif 000024
【図２４】
0005425162.tif 000025
【図２５】
0005425162.tif 000026
【図２６】
0005425162.tif 000027
【図２７】
0005425162.tif 000028
【図２８】
0005425162.tif 000029
【図２９Ａ】
0005425162.tif 000030
【図２９Ｂ】
0005425162.tif 000031
【図３０】
0005425162.tif 000032
【図３１】
0005425162.tif 000033
【図３２】
0005425162.tif 000034
【図３３】
0005425162.tif 000035
【図３４】
0005425162.tif 000036
【図３５】
0005425162.tif 000037
【図３６】
0005425162.tif 000038
【図３７】
0005425162.tif 000039
【図３８】
0005425162.tif 000040
【図３９】
0005425162.tif 000041
【図４０】
0005425162.tif 000042
【図４１】
0005425162.tif 000043
【図４２】
0005425162.tif 000044
【図４３】
0005425162.tif 000045
【図４４】
0005425162.tif 000046
【図４５】
0005425162.tif 000047
【図４６】
0005425162.tif 000048
【図４７】
0005425162.tif 000049
【図４８】
0005425162.tif 000050
【図４９】
0005425162.tif 000051
【図５０】
0005425162.tif 000052
【図５１】
0005425162.tif 000053